(57)【要約】【課題】自動販売機で販売される商品のうちその一部に対応するサンプル部を設け、自動販売機の販売促進機能を向上させることができる自動販売機用補助ボックスを提供する。【解決手段】自動販売機２に並設された自動販売機用補助ボックス１０において、自動販売機２で販売される商品の一部を展示したサンプル部１６と、サンプル部１６で選択され商品の選択信号に基づき自動販売機２に選択商品を販売するよう出力する商品選択ボタン１７とを備えた構造となっている。これにより、自動販売機２のサンプル部が拡大し、商品の販売促進機能が向上する。また、自動販売機２のサンプル部２ｂでは展示が適切でない商品見本Ｂ２であっても、自動販売機用補助ボックス１０のサンプル部１６に展示できる。【選択図】　図１
2004102806.tif 000002
【特許請求の範囲】
【請求項１】
自動販売機に並設され、空き容器収容ボックス、補充商品収納ボックス等として使用される自動販売機用補助ボックスにおいて、
自動販売機で販売される商品の一部を展示したサンプル部と、該サンプル部で選択され商品の選択信号に基づき自動販売機に選択商品を販売するよう出力する商品選択ボタンとを備えた
ことを特徴とする自動販売機用補助ボックス。
【請求項２】
補助ボックス本体内には空き容器収容部又は補充商品収納部の少なくとも一方を有する
ことを特徴とする請求項１記載の自動販売機用補助ボックス。
【発明の詳細な説明】
【０００１】
【発明の属する技術分野】
本発明は、空き缶などの空き容器を収容したり、或いは、自動販売機への補充用商品を収納する自動販売機用補助ボックスに関するものである。
【０００２】
【従来の技術】
従来、この種の自動販売機用補助ボックスとして、図５及び図６に示すものが知られている（特許文献１を参照）。ここで、図５は自動販売機及び自動販売機用補助ボックスの正面図であり、図６は自動販売機用補助ボックスの前面扉を開放した状態の正面図である。
【０００３】
この自動販売機用補助ボックス１は図５に示すように自動販売機２の側面に並設しており、その内部には、図６に示すように、複数の棚１ａを設置して自動販売機２への補充商品Ａを貯蔵する一方、この棚１ａの下方には空き缶などを収容する空き容器収容ボックス１ｂを配置している。これにより、自動販売機２に商品を補充するときは、自動販売機用補助ボックス１の前面扉１ｃを開けて商品Ａを取り出し、これを自動販売機２に補充すればよい。また、飲み終えた空き缶を前面扉１ｃの空き容器投入口１ｄに投入し、空き容器収納ボックス１ｂに収容することができる。
【０００４】
【特許文献１】
登録実用新案第３０００３４２号公報
【０００５】
【発明が解決しようとする課題】
前述の如く、従来の自動販売機用補助ボックス１は補充商品貯蔵機能と空き缶収容機能を備えているが、それ以外の機能、特に重要な機能である販売促進機能を備えていない。
【０００６】
一方、自動販売機２は販売促進機能を充分に発揮するため、自動販売機２の前面扉２ａに広いスペースで商品のサンプル部２ｂを設置し、このサンプル部２ｂに多数の商品見本Ｂを展示している。また、これらの商品見本Ｂの中には同一商品に対して、図５に示すように、多数の同一商品見本Ｂ１（図５では３個横並びの商品見本）を配置して特定商品の販売促進効果をねらったものもある。
【０００７】
従って、自動販売機２においては、サンプル部２ｂをできるだけ広く設計し多数の商品見本Ｂが配置できるよう要望されている。しかし、商品購入者にとって商品見本Ｂの視認が容易な位置が自動販売機２の前面上部であり、また、商品見本Ｂには各々商品選択ボタン２ｃが設置されており、商品購入者のボタン操作を容易にできる位置がこれまた自動販売機２の前面上部となっているため、サンプル部２ｂも自動販売機２の前面扉２ａの上部に限定されている。
【０００８】
また、図５に示すように、サンプル部２ｂの上下には広告スペース２ｄ，２ｅを有しているが、当初配置されていた商品見本（小型の缶商品見本）Ｂから丈のある商品見本（ペットボトル商品見本）Ｂ２に一部変更する際は、図５の破線で示すように、上部広告スペース２ｄが商品見本Ｂ２より一部隠れてしまい、自動販売機２の広告宣伝機能が阻害されるという問題点を有していた。
【０００９】
本発明の目的は前記従来の課題に鑑み、自動販売機で販売される商品のうちその一部に対応するサンプル部を設け、自動販売機の販売促進機能を向上させることができる自動販売機用補助ボックスを提供することにある。
【００１０】
【課題を解決するための手段】
本発明は前記課題を解決するため、請求項１の発明は、自動販売機に並設され、空き容器収容ボックス、補充商品収納ボックス等として使用される自動販売機用補助ボックスにおいて、自動販売機で販売される商品の一部を展示したサンプル部と、サンプル部で選択され商品の選択信号に基づき自動販売機に選択商品を販売するよう出力する商品選択ボタンとを備えた構造となっている。
【００１１】
請求項１の発明によれば、自動販売機のサンプル部の一部を自動販売機用補助ボックスに設け、サンプル部の商品選択ボタンで商品を購入することができる。これにより、自動販売機のサンプル部が拡大し、商品の販売促進機能が向上する。また、自動販売機のサンプル部では展示が適切でない商品見本であっても、自動販売機用補助ボックスのサンプル部に展示できる。なお、自動販売機用補助ボックスは空き缶等を収容する空き容器収容部を備えたもの、自動販売機への補充商品を収納する補充商品収納部を備えたもの、或いは、両者を備えたものであっても良い（請求項２の発明）。
【００１２】
【発明の実施の形態】
図１乃至図３は本発明に係る自動販売機用補助ボックスの一実施形態を示すもので、図１は自動販売機及び自動販売機用補助ボックスの正面図、図２は自動販売機用補助ボックスの前面扉開放状態を示す正面図、図３は自動販売機と自動販売機用補助ボックスの制御回路を示すブロック図である。なお、各図で示した自動販売機は従来例と同一構成となっているため、同一構成部分は同一符号をもって表すとともに、その説明を省略する。
【００１３】
自動販売機用補助ボックス（以下、補助ボックスという）１０は自動販売機２に横並びに並設されたもので、上下寸法を自動販売機２とほぼ同一寸法で形成し、自動販売機２と統一的外観を呈している。補助ボックス１０は図２に示すように前面開口の補助ボックス本体１１と補助ボックス本体１１の前面を開閉する前面扉１２とを備えている。この補助ボックス本体１１内には上下３段に棚（補充商品収納部）１３が設置されており、各棚１３に自動販売機２で販売される缶商品Ａ１とペットボトル商品Ａ２が保管されている。また、各棚１３のうち最下位の棚１３ａの下方には空き容器収容ボックス（空き容器収納部）１４が設置されている。
【００１４】
一方、前面扉１２には図１に示すように空き容器投入口１５が形成されており、空き容器投入口１５から投入された空き缶等が空き容器収容ボックス１４に収容される。また、前面扉１２の上部にはサンプル部１６が設置されている。このサンプル部１６には自動販売機２で販売される商品（ここでは、ペットボトル商品Ａ２）に対応する商品見本Ｂ２を展示するとともに、各商品見本Ｂ２の下には商品選択ボタン１７が設置されている。この商品選択ボタン１７は後述する自動販売機２の制御装置２ｍに商品選択信号を出力するようになっている。
【００１５】
このように構成された補助ボックス１０と自動販売機２との駆動制御回路は図３に示すように構成されている。即ち、自動販売機２には前面扉２ａに設置された商品選択ボタン２ｃ、庫内商品を加熱する庫内加熱装置２ｆ、庫内商品を冷却する庫内冷却装置２ｇ、投入硬貨の真偽、種別等を判別して硬貨処理するコインメック２ｈ、投入紙幣の真偽、種別等を判別して紙幣処理するビルバリデータ２ｉ、選択商品を搬出する商品搬出装置２ｊ、投入金額等を表示する表示器２ｋがそれぞれ設置されており、これらの各機器２ｃ，２ｆ〜２ｋはマイコン制御の制御装置２ｍによって制御されている。一方、補助ボックス１０の商品選択ボタン１７は、その押圧により商品選択信号が制御装置２ｍに入力されるようなっている。そして、この商品選択信号に基づき制御装置２ｍは商品搬出装置２ｊに駆動信号を出力し該当商品を販売するようになっている。
【００１６】
本実施形態によれば、自動販売機２のサンプル部２ｂ以外に補助ボックス１０にサンプル部１６を設けているため、商品展示スペースが格段に広がり、商品見本Ｂ１，Ｂ２の設置個数を増大させることができる。また、自動販売機２のサンプル部２ｂに配置することが不適当な商品見本Ｂ２であっても、これを補助ボックス１０のサンプル部１６に設置することができる。
【００１７】
また、補助ボックス１０はサンプル部１６を設置するのみであり、制御装置２ｍをはじめとする各種機器２ｆ〜２ｋは自動販売機２に搭載されたもの利用するため、補助ボックス１０自体の構造は極めて簡単なものとなっており、既存の自動販売機２に安価でかつ容易に並設することができる。
【００１８】
図４は補助ボックスの変形例を示すもので、図１及び図２に示した構成と同一構成部分は同一符号をもって表す。前記補助ボックス１０は補充商品収納部と空き容器収納部の両者を備えたものとなっている。これに対して、この変形例に係る補助ボックス１０ａは空き容器収容部を持たない補充商品収納部となっている。即ち、補助ボックス本体１１には自動販売機２に補充される商品Ａ１，Ａ２，Ａ３のみを多数貯蔵した構造となっている。この変形例とは逆に空き容器収容部専用となっているものであってもよい。なお、サンプル部１６等のその他の構造は前記補助ボックス１０と同様であるので、その説明を省略する。
【００１９】
【発明の効果】
以上説明したように、本発明によれば、自動販売機のサンプル部以外に補助ボックス本体にサンプル部を設けているため、商品展示スペースが格段に広がり、商品見本の設置個数を増大させ、自動販売機の販売促進効果を向上させることができるという利点を有する。
【図面の簡単な説明】
【図１】自動販売機及び自動販売機用補助ボックスの正面図
【図２】自動販売機用補助ボックスの前面扉開放状態を示す正面図
【図３】自動販売機と自動販売機用補助ボックスの制御回路を示すブロック図
【図４】自動販売機用補助ボックスの変形例を示す正面図
【図５】従来の自動販売機及び自動販売機用補助ボックスの正面図
【図６】従来の自動販売機用補助ボックスの前面扉開放状態を示す正面図
【符号の説明】
２…自動販売機，１０…自動販売機用補助ボックス、１１…補助ボックス本体、１２…前面扉、１３…棚、１４…空き容器収容ボックス、１６…サンプル部、１７…商品選択ボタン。
【図１】
2004102806.tif 000003
【図２】
2004102806.tif 000004
【図３】
2004102806.tif 000005
【図４】
2004102806.tif 000006
【図５】
2004102806.tif 000007
【図６】
2004102806.tif 000008